(57)【要約】【課題】  不定貫商品について、商品の購入者に付与されるポイントを買い物客にアピールし、買い物客の購買意欲を向上させる。【解決手段】  計量包装値付け装置１は、制御部２０と、ラベル発行部６とを備え、商品に貼付するラベルを発行する。制御部２０は、商品の計量情報に基づいて、商品の購入者に付与されるポイントを決定する。ラベル発行部６は、ポイントを表記したラベルを発行する。【選択図】  図４
2007050921.tif 000002
【特許請求の範囲】
【請求項１】
商品に貼付するラベルを発行するラベル発行装置であって、
前記商品の計量情報に基づいて、前記商品の購入者に付与されるポイントを決定するポイント決定部と、
前記ポイントを表記したラベルを発行するラベル発行部と、
を備える、ラベル発行装置。
【請求項２】
前記計量情報は、前記商品の重量又は数量に関する情報である、
請求項１に記載のラベル発行装置。
【請求項３】
前記ラベル発行部は、前記ラベルに前記ポイントに関連するメッセージを表記する、
請求項１又は２に記載のラベル発行装置。
【請求項４】
前記ラベル発行部は、前記ラベルに前記商品に関する商品情報を含む第１バーコード及び前記ポイントに関するポイント情報を含む第２バーコードを表記する、
請求項１〜３のいずれかに記載のラベル発行装置。
【請求項５】
前記ラベル発行部は、前記ラベルに前記商品に関する商品情報及び前記ポイントに関するポイント情報を含むバーコードを表記する、
請求項１〜３のいずれかに記載のラベル発行装置。
【請求項６】
請求項４又は５に記載のラベル発行装置により発行されるラベルから前記ポイント情報及び前記商品情報を読み取り可能なリーダ部と、
前記ポイント情報及び前記商品情報の両方が読み取られた商品については、前記商品の購入者に付与されるポイントを前記商品情報ではなく前記ポイント情報に基づいて計上するポイント計上部と、
を備える、キャッシュレジスタ。
【請求項７】
前記ポイント情報に基づいて計上されたポイントと前記商品情報に基づいて計上されたポイントとを別々に表記したレシートを発行するレシート発行部、
をさらに備える、請求項６に記載のキャッシュレジスタ。
【発明の詳細な説明】
【技術分野】
【０００１】
本発明は、商品に貼付するラベルを発行するラベル発行装置、及びこのようなラベル発行装置により発行されるラベルに含まれる情報を読み取り可能なキャッシュレジスタに関する。
【背景技術】
【０００２】
スーパーや百貨店等の生鮮食品売り場等で販売される肉、魚、青果、惣菜等の不定貫商品は、商品の計量情報に基づいて価格が決定されることが多い。こうした場合、通常、このような不定貫商品は、店舗のバックヤードにおいて計量され、包装され、値付けされ、必要な情報を表記するラベルが貼付された後、売り場に陳列される。
【０００３】
このような商品の計量、包装、値付け、ラベルの発行等をサポートするものとして、特許文献１では計量包装値付け装置が提案されている。特許文献１の計量包装値付け装置は、ラベル発行機能を有しており、商品を計量するとともに計量した商品の重量に基づいて商品の価格を計算し、商品の重量や価格をラベルに印字する。
【特許文献１】特開２００２−０７１３１７号公報
【発明の開示】
【発明が解決しようとする課題】
【０００４】
ところで、スーパーや百貨店等では、買い物客の購買意欲を向上させることを目的として、商品の購入者にポイントを付与するポイントシステムが導入されている場合がある。このようなポイントシステムでは、買い物客は、商品を購入しポイントを集めて利用することにより、値引き等の各種優待サービスを受けることができる。その結果、買い物客は、購入によりポイントが付与される商品について購買意欲を増進させられることになる。
【０００５】
こうしたポイントシステムの目的を達成するためには、買い物中の買い物客に、個々の商品についてその商品の購入者に付与されるポイント（以下、商品のポイント）を十分に認識させることが効果的である。この点、定貫商品の場合、例えば、売り場の商品陳列棚又はその付近にＰＯＰ広告を貼る等して、買い物客に商品のポイントを十分に認識させることが可能である。これに対して、不定貫商品の場合、個々の商品によって商品のポイントが異なることが多いため、買い物客に個々の商品について商品のポイントを認識させることが困難である。
【０００６】
本発明は、上記課題に鑑みてなされたものであり、不定貫商品について、商品の購入者に付与されるポイントを買い物客にアピールし、買い物客の購買意欲を向上させることを目的とする。
【課題を解決するための手段】
【０００７】
第１発明に係るラベル発行装置は、ポイント決定部と、ラベル発行部とを備え、商品に貼付するラベルを発行する。ポイント決定部は、商品の計量情報に基づいて、商品の購入者に付与されるポイントを決定する。ラベル発行部は、ポイントを表記したラベルを発行する。
【０００８】
通常、商品のポイントは、定貫商品の場合、同じ種類の商品については全て同じになるが、不定貫商品の場合、同じ種類の商品であっても個々の商品により異なる。従って、定貫商品の場合、商品陳列棚又はその付近にＰＯＰ広告を貼る等して買い物客にポイントをアピールすることができるが、不定貫商品の場合、このような方法により買い物客に個々の商品についてポイントをアピールすることができない。
【０００９】
しかしながら、このラベル発行装置により発行されるラベルには、商品の計量情報に基づいて決定されるポイントが表記される。このため、売り場において、買い物客は、定貫商品だけでなく不定貫商品についても、商品を選びながら個々の商品のポイントを容易に確認することができる。これにより、このラベル発行装置では、不定貫商品について、商品の購入者に付与されるポイントを買い物客にアピールし、買い物客の購買意欲を向上させることができる。
【００１０】
なお、ここでいう「商品の計量情報に基づいて、商品のポイントを決定する」場合には、「商品の計量情報に基づいて商品の価格を決定し、決定された商品の価格に基づいて商品のポイントを決定する」場合を含む。
【００１１】
第２発明に係るラベル発行装置は、第１発明に係るラベル発行装置であって、計量情報は、商品の重量又は数量に関する情報である。
【００１２】
このラベル発行装置では、商品のポイントがその商品の重量又は数量に基づいて決定される。これにより、商品の重量又は数量に応じて、商品の購入者にポイントを付与することができる。
【００１３】
第３発明に係るラベル発行装置は、第１発明又は第２発明に係るラベル発行装置であって、ラベル発行部は、ラベルにポイントに関連するメッセージを表記する。
【００１４】
このラベル発行装置により発行されるラベルには、例えば、ポイント決定部により決定されるポイントが、ポイント決定部によるポイントの決定がなかったとした場合に購入者に付与されるポイント（以下、通常ポイント）よりも多い場合等、買い物客により有利な条件でポイントが付与される場合に、そのことを買い物客にアピールするメッセージが表記される。これにより、不定貫商品について、買い物客の購買意欲をさらに向上させることができる。
【００１５】
第４発明に係るラベル発行装置は、第１発明から第３発明のいずれかに係るラベル発行装置であって、ラベル発行部は、ラベルに商品に関する商品情報を含む第１バーコード及びポイントに関するポイント情報を含む第２バーコードを表記する。なお、「商品情報」とは、例えば、その商品の種類を特定するための商品コード、価格、加工日、消費期限等のその商品の属性情報又はその組み合わせを意味する。
【００１６】
このラベル発行装置により発行されるラベルには、商品情報を含むバーコードとは別にポイント情報を含むバーコードが表記される。これにより、このラベル発行装置では、精算時においてポイント計上処理が容易かつ正確になされるようになる。
【００１７】
第５発明に係るラベル発行装置は、第１発明から第３発明のいずれかに係るラベル発行装置であって、ラベル発行部は、ラベルに商品に関する商品情報及びポイントに関するポイント情報を含むバーコードを表記する。
【００１８】
このラベル発行装置により発行されるラベルには、商品情報及びポイント情報の両方を含むバーコードが表記される。これにより、このラベル発行装置では、精算時において１回のバーコード読み取り作業により商品情報及びポイント情報をキャッシュレジスタに登録することができ、ポイント計上処理が容易かつ正確になされるようになる。
【００１９】
第６発明に係るキャッシュレジスタは、リーダ部と、ポイント計上部とを備える。リーダ部は、第４発明又は第５発明に記載のラベル発行装置により発行されるラベルからポイント情報及び商品情報を読み取り可能である。ポイント計上部は、ポイント情報及び商品情報の両方が読み取られた商品については、商品の購入者に付与されるポイントを商品情報ではなくポイント情報に基づいて計上する。
【００２０】
このキャッシュレジスタのポイント計上部は、１つの商品についてポイント情報及び商品情報の両方が読み取られた場合、ポイント情報に基づいてのみポイントを計上する。これにより、ポイントの二重付与を防止することができる。
【００２１】
第７発明に係るキャッシュレジスタは、第６発明に係るキャッシュレジスタであって、レシート発行部をさらに備える。レシート発行部は、ポイント情報に基づいて計上されたポイントと商品情報に基づいて計上されたポイントとを別々に表記したレシートを発行する。
【００２２】
このキャッシュレジスタにより発行されるレシートには、ポイント情報に基づいて計上されたポイントと商品情報に基づいて計上されたポイントとが別々に表記される。これにより、商品の購入後においても、買い物客に対して、不定貫商品の購入によるポイントサービスをアピールすることができる。
【発明の効果】
【００２３】
このラベル発行装置により発行されるラベルには、商品の計量情報に基づいて決定されるポイントが表記される。このため、売り場において、買い物客は、定貫商品だけでなく不定貫商品についても、商品を選びながら個々の商品のポイントを容易に確認することができる。これにより、このラベル発行装置では、不定貫商品について、商品の購入者に付与されるポイントを買い物客にアピールし、買い物客の購買意欲を向上させることができる。
【発明を実施するための最良の形態】
【００２４】
以下、図面を参照して、まず、本発明の一実施形態に係るラベル発行機能付きの計量包装値付け装置１について説明し、続いて、本発明の一実施形態に係るキャッシュレジスタ８について説明する。
【００２５】
計量包装値付け装置１は、スーパーや百貨店等のバックヤードに設置され、その生鮮食品売り場等で販売される肉、魚、青果、惣菜等の不定貫商品を計量し、包装し、値付けし、ラベルを発行して商品の包装に貼付するという一連の処理を行う。こうした一連の処理を経た不定貫商品は、売り場の商品陳列棚等に陳列される。買い物客は、売り場の商品陳列棚等に陳列された商品を、商品に貼付されるラベルを見ながら選ぶ。そして、買い物客により選ばれた商品は、精算コーナーのレジ担当者に渡される。精算コーナーでは、レジ担当者が、キャッシュレジスタ８により商品に貼付されるラベルを読み取ることにより、精算処理がなされる。
【００２６】
＜計量包装値付け装置＞
（計量包装値付け装置の構成）
図１に、本発明に係る計量包装値付け装置１の外観図を示し、図２に、その機能ブロック図を示す。
【００２７】
計量包装値付け装置１は、計量部２と、包装ステーション３と、包装部４と、シール部５と、ラベル発行部６と、操作部７と、制御部２０と、記憶部３０とを備えている。
【００２８】
計量部２は、本体１ａの正面中央部に設けられており、計量台を有している。計量部２は、商品が計量台の上に載せられると、その商品の重量を計量する。計量後、商品は、包装ステーション３に搬送される。包装ステーション３は、本体１ａ内に形成される空間である。
【００２９】
包装部４は、本体１ａの両側部に配置されており、それぞれフィルムロールを保持する。包装部４は、フィルムロールからフィルムを引き出して包装ステーション３へと搬送し、包装ステーション３に搬送されたフィルムにより、同じく包装ステーション３に搬送された商品を包装する。このとき、包装部４は、商品の底面側にフィルムを折り込むようにする。
【００３０】
シール部５は、包装部４により包装された商品の底面側に折り込まれたフィルムに対して、熱シールを施す。
【００３１】
ラベル発行部６は、シール部５の上方に配置されており、包装された商品の上面にラベルを貼付する。
【００３２】
操作部７は、液晶タッチパネル７ａ及び機械キー７ｂを有しており、操作者から計量包装値付け装置１への指令を受け付ける。
【００３３】
制御部２０は、ＣＰＵ２１、ＲＯＭ２２及びＲＡＭ２３を有している。ＲＯＭ２２には、計量包装値付け装置１を制御するための制御プログラムが格納されている。ＣＰＵ２１は、ＲＯＭ２２に格納された制御プログラムに基づいて、計量包装値付け装置１を制御する。ＲＡＭ２３は、ＣＰＵ２１がＲＯＭ２２に格納された制御プログラムを実行する際に利用される作業領域である。
【００３４】
記憶部３０は、商品マスタテーブル３１を記憶している。図３に示すように、商品マスタテーブル３１は、呼出番号、商品名、商品コード、加工日、消費期限、対象商品関連メッセージ及び単価フィールド等を有しており、１つの商品に関する商品名、商品コード、加工日、消費期限、対象商品関連メッセージ及び単価等の商品情報を１つのレコードとして格納している。呼出番号フィールドに格納される呼出番号は、商品マスタテーブル３１からある商品に関する商品情報を呼び出す際のキーとなる。また、操作者は、操作部７を介して、商品マスタテーブル３１に商品情報を新たに追加することが可能である。
【００３５】
（ラベルの構成）
制御部２０は、ラベル発行部６を制御してラベルを発行させる。図４に、ラベル発行部６により発行されるラベルの一例を示す。
【００３６】
ラベルには、「加工日」、「消費期限」、「１００ｇ当り（円）」、「正味量（ｇ）」及び「お値段（円）」の文字が予め印刷されている。そして、ラベル発行部６により、商品名「国産牛バラ焼肉用」、対象商品関連メッセージ「保存温度１０°Ｃ以下」、加工日「０５．０３．１１」、消費期限「０５．０３．１５」、単価「４２８」、重量「１３５」、価格「５７７」、ポイント「１３５ポイント」、ポイントの説明「通常ポイントより１０７ポイントもお得！」、第１バーコードｂ１及び第２バーコードｂ２がラベルに表記される。
【００３７】
図５は、ラベルに表記される第１バーコードｂ１の構成を示す模式図である。
【００３８】
第１バーコードｂ１は、１３桁の数値から成る。左から１〜２行目の数値がインストアコード、左から３〜７行目の数値が商品コード、左から８〜１２行目の数値が価格、左から１３行目の数値がチェックデジットを示す。このように、第１バーコードｂ１は、商品コードや価格といった商品に関する商品情報を含む。
【００３９】
なお、インストアコードが「２０」となっている場合には、キャッシュレジスタ８において第１バーコードｂ１が読み取られた後に連続して第２バーコードｂ２が読み取られると、キャッシュレジスタ８において読み取られた第１バーコードｂ１と第２バーコードｂ２とが関連づけて認識されることになる。関連づけるべき第２バーコードｂ２がない場合には、インストアコードは「０２」となる。このように、第１バーコードｂ１に含まれるインストアコードを「０２」として、ラベルに第２バーコードｂ２を表記しないようにすることも可能であるが、本発明の目的に鑑みて、以下、第１バーコードｂ１に含まれるインストアコードは常に「２０」となり、ラベルには第２バーコードｂ２が常に表記されるものとして説明する。
【００４０】
図６は、ラベルに表記される第２バーコードｂ２の構成を示す模式図である。
【００４１】
第２バーコードｂ２は、１３桁の数値から成る。左から１〜２行目の数値がインストアコード、左から３〜４行目の数値が優待サービスの対象となることを示すコード、左から５行目の数値が処理区分、左から６行目の数値がチェックプライスを示す。左から７〜１２行目の数値は、優待サービスの内容を示し、処理区分が「１」となっている場合には、商品のポイントを示し、処理区分が「２」となっている場合には、商品の値引き額を示す。このように、第２バーコードｂ２により商品の値引き額を設定することも可能であるが、本発明の目的に鑑みて、以下、第２バーコードｂ２に含まれる処理区分は常に「１」となり、第２バーコードｂ２により常に商品のポイントが設定されるものとして説明する。また、左から１３行目の数値は、チェックデジットを示す。このように、第２バーコードｂ２は、商品のポイントに関するポイント情報を含む。
【００４２】
（計量包装値付け装置の動作）
以下、図７を参照して、計量包装値付け装置１において商品が計量され、包装され、値付けされ、商品の包装にラベルが貼付される一連の処理のフローを説明する。
【００４３】
ステップＳ１１において、操作者は、操作部７を介して、商品マスタテーブル３１から処理対象となる商品に関する商品情報を呼び出すための呼出番号を指定する。このとき、処理対象となる商品に対応するレコードが既に商品マスタテーブル３１に格納されている場合には、その呼出番号を指定し、格納されていない場合には、まず、商品マスタテーブル３１にその商品に対応するレコードを新たに追加した後、その呼出番号を指定する。
【００４４】
次に、ステップＳ１２において、操作者は、操作部７を介して、処理対象となる商品の価格の決定方法を指定する。具体的には、操作者は、商品の価格を商品の重量に基づいて決定するか、又は商品の数量に基づいて決定するかのいずれかを指定することになる。ここで、商品の数量に基づいて決定する方法が指定された場合、操作者は、操作部７を介して、処理対象となる商品の数量を指定する。
【００４５】
次に、ステップＳ１３において、操作者は、操作部７を介して、処理対象となる商品の購入者に付与されるポイントの計上方法を指定する。具体的には、操作者は、重量に比例するようにポイントを付与するか、数量に比例するようにポイントを付与するか、又は価格に比例するようにポイントを付与するかのいずれかを指定し、さらに、その付与率を指定する。
【００４６】
次に、ステップＳ１４において、操作者は、計量部２の計量台の上に処理対象となる商品を載せる。このとき、ステップＳ１２において商品の価格を商品の重量に基づいて決定する方法が指定されていた場合、フローは、ステップＳ１５に進む。一方、ステップＳ１２において商品の価格を商品の数量に基づいて決定する方法が指定されていた場合、フローは、ステップＳ１５をスキップして、ステップＳ１６に進む。
【００４７】
ステップＳ１５において、計量部２は、商品の重量を計量する。ステップＳ１４において商品が計量部２の計量台の上に載せられると、計量部２による計量処理がスタートするとともに、図示されないＣＣＤカメラにより商品の映像が撮影されて制御部２０へと送られる。この映像に基づいて、制御部２０は、商品がトレーに載せられているか否かを判定する。商品がトレーに載せられていると判定された場合には、ソフトウェア処理によりトレーの寸法を割り出し、トレーの種類を特定する。この場合、制御部２０は、特定されたトレーの種類に基づいて、記憶部３０に記憶されているトレーマスターファイルからトレー重量を取得し、取得したトレー重量を風袋重量として計量部２による計量結果から差し引くことにより、商品の重量を算出する。
【００４８】
次に、ステップＳ１６において、商品は、図示されないコンベアベルトやリフターにより、包装ステーション３に搬送される。
【００４９】
次に、ステップＳ１７において、包装部４は、フィルムロールから引き出されて搬送ステーション３に搬送されたフィルムにより、ステップＳ１６において包装ステーション３に搬送された商品を包装する。このとき、制御部２０は、ステップＳ１５において商品がトレーに載せられていると判定された場合には、特定されたトレーの種類に応じて、包装部４による包装処理を調整する。
【００５０】
次に、ステップＳ１８において、シール部５は、ステップＳ１７において包装部４により包装された商品の底面側に折り込まれたフィルムに対して、熱シールを施す。
【００５１】
次に、ステップＳ１９において、制御部２０は、ステップＳ２０においてラベル発行部６により発行されるラベルに表記されることになる商品名、加工日、消費期限、対象商品関連メッセージ、単価、重量、価格、ポイント、ポイントの説明、第１バーコードｂ１及び第２バーコードｂ２を決定する。
【００５２】
具体的には、ラベルに表記される商品名、加工日、消費期限、対象商品関連メッセージ及び単価は、それぞれ、商品マスタテーブル３１に格納されるレコードのうち、ステップＳ１１において指定された呼出番号に対応するレコードの商品名、加工日、消費期限、対象商品関連メッセージ及び単価フィールドに格納される値になる。
【００５３】
ラベルに表記される重量は、ステップＳ１５において計量部２により計量された商品の重量となる。ただし、ステップＳ１５がスキップされた場合には、商品の重量に代えて、ステップＳ１２において指定された商品の数量が表記される。
【００５４】
ラベルに表記される価格は、ステップＳ１２において指定された商品の価格の決定方法に基づいて決定される。例えば、ステップＳ１２において商品の価格を商品の重量に基づいて決定する方法が指定されていた場合には、ステップＳ１５において計量部２により計量された商品の重量に商品マスタテーブル３１に格納されるその商品の単価が乗算され、その乗算結果がその商品の価格となる。また、ステップＳ１２において商品の価格を商品の数量に基づいて決定する方法が指定されていた場合には、ステップＳ１２において指定された商品の数量に商品マスタテーブル３１に格納されるその商品の単価が乗算され、その乗算結果がその商品の価格となる。
【００５５】
ラベルに表記されるポイントは、ステップＳ１３において指定された商品のポイントの計上方法に基づいて決定される。例えば、ステップＳ１３において指定された商品のポイントの計上方法が、重量に比例するようにポイントを付与する方法である場合には、ステップＳ１５において計量部２により計量された商品の重量にステップＳ１３において指定されたポイントの付与率が乗算され、その乗算結果がその商品のポイントとなる。
【００５６】
ラベルに表記されるポイントの説明も、ステップＳ１３において指定された商品のポイントの計上方法に基づいて決定される。まず、ステップＳ１３において指定された商品のポイントの計上方法に基づいて購入者に付与されるポイントが、通常ポイントよりも多いか否かが判定される。そして、多いと判定された場合には、その差を強調する文章が制御部２０により自動生成されてラベルに表記される。
【００５７】
ラベルに表記される第１バーコードｂ１は、図５に示される形式の第１バーコードｂ１となる。ここで、インストアコードを示す部分は、「２０」となる。商品コードを示す部分は、商品マスタテーブル３１に格納されるその商品の商品コードを示す数値となる。価格を示す部分は、ステップＳ１２において指定された商品の価格の決定方法に基づいて決定された商品の価格を示す数値となる。チェックデジットを示す部分は、第１バーコードｂ１の数値をチェックするための数値であり、チェックデジット以外を示す部分の数値に応じて決定される。
【００５８】
ラベルに表記される第２バーコードｂ２は、図６に示される形式の第２バーコードｂ２となる。ここで、インストアコードを示す部分は、「０２」となる。処理区分を示す部分は、「１」となる。チェックプライスを示す部分は、第２バーコードｂ２の所定の位置の数値をチェックするための数値であり、第２バーコードｂ２の所定の位置の数値に応じて決定される。優待サービスの内容を示す部分は、ステップＳ１３において指定された商品のポイントの計上方法に基づいて購入者に付与されるポイントを示す数値となる。チェックデジットを示す部分は、第２バーコードｂ２の数値をチェックするための数値であり、チェックデジット以外を示す部分の数値に応じて決定される。
【００５９】
次に、ステップＳ２０において、ラベル発行部６は、ステップＳ１９において決定された値が表記されるラベルを発行し、商品に貼付する。
【００６０】
＜キャッシュレジスタ＞
（キャッシュレジスタの構成）
図８に、本発明に係るキャッシュレジスタ８の外観図を示し、図９に、その機能ブロック図を示す。
【００６１】
キャッシュレジスタ８は、制御部５０と、記憶部４０と、第１ディスプレイ１１と、第２ディスプレイ１２と、バーコードリーダ１３と、カードリーダ１４と、レシート発行部１５と、機械キー１６と、ドロワ１７とを備えている。
【００６２】
制御部５０は、ＣＰＵ５１、ＲＯＭ５２及びＲＡＭ５３を有している。ＲＯＭ５２には、キャッシュレジスタ８を制御するための制御プログラムが格納されている。ＣＰＵ５１は、ＲＯＭ５２に格納された制御プログラムに基づいて、キャッシュレジスタ８を制御する。ＲＡＭ５３は、ＣＰＵ５１がＲＯＭ５２に格納された制御プログラムを実行する際に利用される作業領域である。
【００６３】
記憶部４０は、記憶部３０と同様に、商品マスタテーブル３１を記憶している。
【００６４】
バーコードリーダ１３は、商品に付された第１バーコードｂ１や第２バーコードｂ２等のバーコードを読み取る。レジ担当者が、バーコードリーダ１３を第１バーコードｂ１及び第２バーコードｂ２にかざすと、第１バーコードｂ１及び第２バーコードｂ２に対応する商品がキャッシュレジスタ８に登録される。
【００６５】
カードリーダ１４は、買い物客がレジ精算時において提示した会員カードを読み取る。      
【００６６】
第１ディスプレイ１１は、レジ担当者が商品をキャッシュレジスタ８に登録する際にリアルタイムで商品の価格を表示し、精算対象となる全商品の登録完了後その合計金額をレジ担当者に対して表示する。
【００６７】
第２ディスプレイ１２は、第１ディスプレイ１１の上方に配置されており、第１ディスプレイ１１に表示されるのと同様の内容を買い物客に対して表示する。
【００６８】
レシート発行部１５は、図１０に示される形式のレシートを発行する。
【００６９】
機械キー１６は、キャッシュレジスタ８に数字情報を入力するための数字キーやドロワ１７を開くための開キーを含む。第１バーコードｂ１や第２バーコードｂ２等のバーコードが付されていない商品については、機械キー１６を介してその価格がキャッシュレジスタ８に入力される。
【００７０】
ドロワ１７は、紙幣や硬貨の保存場所として機能する。ドロワ１７は、レジ担当者が機械キー１６に含まれる開キーを押すと開き、レジ担当者が開いた方向と逆の方向に物理的に押すと閉まるようになっている。
【００７１】
（レシートの構成）
制御部５０は、レシート発行部１５を制御してレシートを発行させる。図１０に、レシート発行部１５により発行されるレシートの一例を示す。
【００７２】
レシートには、スーパー又は百貨店等の店舗名、住所及び電話番号、レジ精算時の年月日、曜日及び時間やレジ担当者の名前が表記される。また、レシートには、精算対象となる各商品について商品コード、商品名、価格及びポイントや精算対象となる全商品の合計金額が表記される。ただし、機械キー１６を介して価格が入力された商品については、商品コード及び商品名は表記されない。さらに、レシートには、買い物客の氏名や今回のポイント、これまでのポイント及び累計のポイントが表記される。
【００７３】
（キャッシュレジスタの動作）
以下、図１１を参照して、精算コーナーに設置されたキャッシュレジスタ８における一連の精算処理のフローを説明する。
【００７４】
ステップＳ３１において、レジ担当者は、買い物客から会員カード受け取り、その会員カードをカードリーダ１４に通す。これにより、キャッシュレジスタ８に買い物客の会員情報が入力される。
【００７５】
次に、ステップＳ３２において、レジ担当者は、買い物客から商品を受け取り、その商品をキャッシュレジスタ８に登録する。
【００７６】
このとき、第１バーコードｂ１及び第２バーコードｂ２が付されている商品については、レジ担当者がバーコードリーダ１３を第１バーコードｂ１及び第２バーコードｂ２に順にかざすことにより、第１バーコードｂ１及び第２バーコードｂ２がバーコードリーダ１３に順に読み取られ、第１バーコードｂ１及び第２バーコードｂ２に対応する商品がキャッシュレジスタ８に登録される。第１バーコードｂ１及び第２バーコードｂ２以外のバーコードが付されている商品については、レジ担当者がバーコードリーダ１３をそのバーコードにかざすことにより、そのバーコードがバーコードリーダ１３に読み取られ、そのバーコードに対応する商品がキャッシュレジスタ８に登録される。このとき、制御部５０は、商品がキャッシュレジスタ８に登録される際にリアルタイムで、商品の価格を第１ディスプレイ１１及び第２ディスプレイ１２に表示させる。ここで、商品の価格は、第１バーコードｂ１及び第２バーコードｂ２が付されている商品については、第１バーコードｂ１に含まれる価格となり、第１バーコードｂ１及び第２バーコードｂ２以外のバーコードが付されている商品については、記憶部４０に記憶されるバーコードと価格との対応表等に基づいて決定される。
【００７７】
また、バーコード（第１バーコードｂ１及び第２バーコードｂ２を含む）が付されていない商品については、レジ担当者が機械キー１６を介してキャッシュレジスタ８にその商品の価格を入力することにより、その商品がキャッシュレジスタ８に登録される。このときも、制御部５０は、商品がキャッシュレジスタ８に登録される際にリアルタイムで、キャッシュレジスタ８に登録された商品の価格を第１ディスプレイ１１及び第２ディスプレイ１２に表示させる。
【００７８】
次に、ステップＳ３３において、制御部５０は、ステップＳ３１においてキャッシュレジスタ８に入力された会員情報に対応する会員に付与されるポイントを計上する。
【００７９】
このとき、制御部５０は、ステップＳ３２において第１バーコードｂ１及び第２バーコードｂ２が読み取られなかった商品については、通常ポイントを計上する。ここで、通常ポイントとは、キャッシュレジスタ８において予め設定されている所定の計上方法に従い、その商品に関する商品情報に基づいて決定され、例えば、商品の価格に０．０５を掛けた値となる。一方、制御部５０は、ステップＳ３２において第１バーコードｂ１及び第２バーコードｂ２が読み取られた商品については、通常ポイントを計上せずに、第２バーコードｂ２に含まれるポイント情報に対応するポイントを計上する。例えば、図６の例では、優待サービスの内容を示す部分に「０００１３５」が記されているため、その会員には１３５ポイントが付与される。
【００８０】
次に、ステップＳ３４において、制御部５０は、ステップＳ３２においてキャッシュレジスタ８に登録された全商品の合計金額を計算する。そして、制御部５０は、計算された合計金額を第１ディスプレイ１１及び第２ディスプレイ１２に表示させる。
【００８１】
次に、ステップＳ３５において、制御部５０は、レシート発行部１５に図１０に示される形式のレシートを発行させる。
【００８２】
具体的には、レシートに表記されるスーパー又は百貨店等の店舗名、住所及び電話番号やレジ担当者の名前は、予め記憶部４０に記憶されている情報に基づいて決定される。レシートに表記されるレジ精算時の年月日、曜日及び時間は、キャッシュレジスタ８に内蔵される図示されない時計から取得される時間情報に基づいて決定される。
【００８３】
レシートに表記される商品コードは、第１バーコードｂ１に含まれる商品コードとなる。ただし、ステップＳ３２において第１バーコードｂ１が読み取られなかった場合には、レシートに商品コードは表記されない。
【００８４】
レシートに表記される商品名は、商品マスタテーブル３１に格納されるレコードのうち、第１バーコードｂ１に含まれる商品コードに対応するレコードの商品名フィールドに格納される値となる。ただし、ステップＳ３２において第１バーコードｂ１が読み取られなかった場合には、レシートに商品名は表記されない。
【００８５】
レシートに表記される価格は、第１バーコードｂ１に含まれる価格、ステップＳ３２において記憶部４０に記憶されるバーコードと価格との対応表等に基づいて決定された価格、又はステップＳ３２において機械キー１６を介して入力された価格となる。
【００８６】
レシートに表記されるポイントは、ステップＳ３３において計上されたポイントとなる。
【００８７】
レシートに表記される合計金額は、ステップＳ３４で計算された合計金額となる。
【００８８】
レシートに表記される買い物客の氏名及びこれまでのポイントは、ステップＳ３１において入力された会員情報に基づいて決定される。レシートに表記される今回のポイントは、ステップＳ３３で計上されたポイントの合計値となり、レシートに表記される累計のポイントは、これまでのポイントに今回のポイントを累計した値となる。
【００８９】
＜特徴＞
（１）
計量包装値付け装置１は、商品の重量や数量に基づいて商品の購入者に付与されるポイントを決定し、商品に貼付するラベルにそのポイントを表記することができる。このため、買い物客は、売り場においてそのようなラベルが貼付された商品について購買意欲を増進させられることになる。
【００９０】
（２）
計量包装値付け装置１は、商品の重量や数量に基づいて商品の購入者に付与されるポイントを決定し、そのポイントが通常ポイントよりも多い場合に、商品に貼付するラベルに「通常ポイントより１０７ポイントもお得！」のようなポイントに関連するメッセージを表記する。このように、買い物中の買い物客は、ラベルに表記されるポイントの説明を読むことができ、そのようなラベルが貼付された商品について購買意欲をさらに増進させられることになる。
【００９１】
（３）
キャッシュレジスタ８は、第１バーコードｂ１及び第２バーコードｂ２の両方が読み取られた商品については、商品のポイントを第１バーコードｂ１に含まれる商品情報ではなく第２バーコードｂ２に含まれるポイント情報に基づいて計上する。これにより、キャッシュレジスタ８では、ポイントの二重付与が防止されている。
【００９２】
（４）
図１０に示されるレシートに表記される「○○製板チョコレート」は、計量包装値付け装置１による処理を経ていない定貫商品である。このように、レシートには、通常ポイントと第２バーコードｂ２に含まれるポイント情報により計上されるポイントとが別々に表記されることになる。これにより、商品の購入後においても、買い物客に対して第２バーコード２ｂによるポイントをアピールすることができる。
【００９３】
＜変形例＞
（１）
上記実施形態では、本発明に係るラベル発行装置は、商品の重量を計量する計量機能を有する計量包装値付け装置１となっているが、必ずしも計量機能を有する必要はない。本発明は、外部から計量情報を取得してラベルを発行することができる装置にも適用可能である。
【００９４】
（２）
上記実施形態では、商品情報を含む第１バーコードｂ１とポイント情報を含む第２バーコードｂ２とが別々にラベルに表記されているが、図１２に示すように、商品情報とポイント情報とが１つのバーコードに含まれていてもよい。
【００９５】
図１２に示されるバーコードは、２６桁の数値から成る。左から１行目の数値がバーコードの左端を示すスタートキャラクタ、左から２〜３行目の数値が優待サービスの対象となることを示すコード、左から４行目の数値が処理区分、左から５行目の数値がチェックプライス、左から６〜１１行目の数値が優待サービスの内容となる。また、左から１２〜２４行目の数値は、第１バーコードｂ１と同じ構成である。さらに、左から２５行目の数値がチェックデジット、左から２６行目の数値がバーコードの右端を示すストップキャラクタである。
【００９６】
この場合、レジ精算時において、１回のバーコード読み取り作業により商品情報及びポイント情報をキャッシュレジスタ８に登録することができ、レジ担当者の処理に伴う負担が軽減される。
【産業上の利用可能性】
【００９７】
本発明は、不定貫商品について、商品の購入者に付与されるポイントを買い物客にアピールし、買い物客の購買意欲を向上させることができるという効果を有し、ラベル発行装置及びキャッシュレジスタとして有用である。
【図面の簡単な説明】
【００９８】
【図１】本発明に係る計量包装値付け装置の外観図。
【図２】本発明に係る計量包装値付け装置の機能ブロック図。
【図３】商品マスタテーブルの構成を示す図。
【図４】ラベルの一例を示す図。
【図５】第１バーコードの構成を示す図。
【図６】第２バーコードの構成を示す図。
【図７】計量包装値付け装置による一連の処理のフローチャート。
【図８】本発明に係るキャッシュレジスタの外観図。
【図９】本発明に係るキャッシュレジスタの機能ブロック図。
【図１０】レシートの一例を示す図。
【図１１】キャッシュレジスタにおける一連の精算処理のフローチャート。
【図１２】本発明の変形例に係るバーコードの構成を示す図。
【符号の説明】
【００９９】
１  計量包装値付け装置
６  ラベル発行部
８  キャッシュレジスタ
１３  バーコードリーダ
１５  レシート発行部
２０  制御部
５０  制御部
【図１】
2007050921.tif 000003
【図２】
2007050921.tif 000004
【図３】
2007050921.tif 000005
【図４】
2007050921.tif 000006
【図５】
2007050921.tif 000007
【図６】
2007050921.tif 000008
【図７】
2007050921.tif 000009
【図８】
2007050921.tif 000010
【図９】
2007050921.tif 000011
【図１０】
2007050921.tif 000012
【図１１】
2007050921.tif 000013
【図１２】
2007050921.tif 000014